(57)【要約】【課題】  従来の技術は、パレットと荷物の上に載置される押さえ板により、上下から荷物を挟み、荷崩れを防止するもので、パレットに積んだ荷物の外周４ツ角にコーナーガード板を設けたものではなく、横方向の荷物の崩れを防止できるものではない。また、ベルトが伸縮自在なベルトと伸縮しないベルトの組み合わせであり、比較的軽い荷物に対しては有効であるが、重量物には課題がある。【解決手段】  パンフレットに積んだ荷物の外周４ツ角に、縦方向に立設するコーナーガード板を設けると共に、このコーナーガード板のベルト挿入部に、荷物を水平方向に支持する締付ベルトを設けてなる荷崩れ防止具であって、締付ベルトが、ベルト本体に、スライド軸と締付枠とからなる締付体を２個設けてなることを特徴とする。【選択図】図１
2014051318.tif 000002
【特許請求の範囲】
【請求項１】
パレットに積んだ荷物の外周４ツ角に、縦方向に立設するコーナーガード板を設けると共に、このコーナーガード板のベルト挿入部に、荷物を水平方向に支持する締付ベルトを設けてなる荷崩れ防止具であって、締付ベルトが、ベルト本体に、スライド軸と締付枠とからなる締付体を２個設けてなることを特徴とする荷崩れ防止具。
【請求項２】
一方の締付体に、ベルト本体の一端を着脱自在に取り付ける取付部を設けると共に、ベルト本体の他端を他方の締付体に寸法調整可能な固定部を設け、２個の締付体を一定の間隔に保持する連結ベルトを設けてなることを特徴とする請求項１記載の荷崩れ防止具。
【請求項３】
コーナーガード板が、中央で折り畳み可能な取付時平面Ｌ字形に形成してなることを特徴とする請求項１又は２記載の荷崩れ防止具。
【請求項４】
コーナーガード板とベルト挿入部に、着脱自在な、着脱具を設けてなることを特徴とする請求項１、２又は３記載の荷崩れ防止具。
【請求項５】
コーナーガード板に締付ベルトを装着し、ベルト本体の両端を固定体に取り付けた状態の荷崩れ防止具を、パレットに積んだ荷物の上方より挿入し、コーナーガード板を荷物の４ツ角に位置させ、ベルト本体の固定部を引っ張り、締め付けて荷物を固定する取付方法。
【発明の詳細な説明】
【技術分野】
【０００１】  本発明は、パレットに積んだ荷物の荷崩れ防止具及びその取付方法に関するものである。
【背景技術】
【０００２】  従来の技術として、パレットと荷物の上に載置される押さえ板により、上下から荷物を挟み、ベルトを締め付けて荷物の荷崩れを防止して固定する荷崩れ防止用締め具において、前記荷崩れ防止用締め具は、巻回する荷崩れ防止用ベルトの一端を係合する係合部と、前記荷崩れ防止用ベルトの他端が挿入され巻き締め方向にベルトを固定するバックル部材と、前記ベルトに張力を与える方向に付勢力を有し前記ベルトの巻き締め力を調整する弾性部材と、前記荷崩れ防止用ベルトに対して所定の締め付け力を付加する締め付け手段と、を備えることを特徴とする荷崩れ防止用締め具がある。（特許文献１参照）【０００３】  また、別の従来技術として、本出願人が過去に出願したパレットに積んだ荷物の外周５面を保持するパレット用カバーベルトであって、ベルトを格子状に形成してなる保持体を５面設けてなることを特徴とするパレット用カバーベルトがある。（特許文献２参照）
【先行技術文献】
【特許文献】
【０００４】
【特許文献１】  特開２０１１−１４３９７０号公報
【特許文献２】  特開２００４−１４２８２５号公報
【発明の概要】
【発明が解決しようとする課題】
【０００５】  上記前者においては、パレットと荷物の上に載置される押さえ板により、上下から荷物を挟み、荷崩れを防止するもので、パレットに積んだ荷物の外周４ツ角にコーナーガード板を設けたものではなく、横方向の荷物の崩れを防止できるものではない。【０００６】  上記後者においては、ベルトが伸縮自在なベルトと伸縮しないベルトの組み合わせであり、比較的軽い荷物に対しては有効であるが、重量物には課題がある。【０００７】    本発明は、このような従来の構成が有していた問題を解決しようとするもので、コーナーガード板に締付ベルトを設け、締付ベルトに複数（２個）の締付体により荷物への取付、取り外しが迅速に行うことのできる荷崩れ防止具及びその取付方法を提供することを目的とするものである。
【課題を解決するための手段】
【０００８】  本発明は、上記目的を達成するために、パンフレットに積んだ荷物の外周４ツ角に、縦方向に立設するコーナーガード板を設けると共に、このコーナーガード板のベルト挿入部に、荷物を水平方向に支持する締付ベルトを設けてなる荷崩れ防止具であって、締付ベルトが、ベルト本体に、スライド軸と締付枠とからなる締付体を２個設けてなること。一方の締付体に、ベルと本体の一端に着脱自在に取り付けると共に、ベルト本体の他端を他方の締付体に寸法調整可能な固定部を設け、２個の締付体を一定の間隔に保持する連結ベルトを設けてなること。コーナーガード板が、中央で折り畳み可能な取付時平面Ｌ字形に形成してなること。コーナーガード板とベルト挿入部に、着脱自在な、着脱具を設けてなること。コーナーガード板に締付ベルトを装着し、ベルト本体の両端を固定体に取り付けた状態の荷崩れ防止具を、パレットに積んだ荷物の上方より挿入し、コーナーガード板を荷物の４ツ角に位置させ、ベルト本体の固定部を引っ張り、締め付けて荷物を固定する取付方法。
【発明の効果】
【０００９】１）、コーナーガイド板に、水平方向に支持する締付ベルトを設け、この締付ベルトに複数（２個）の締付体を設けることにより、特に取り外し時に、迅速に行うことができる。
２）、着脱具により、締付ベルトの位置を上下必要に応じて設定できる。
３）、荷崩れ防止具は、組み立てた状態で、パレットに積んだ荷物の上方より挿入して、締付ベルトを締め付けることにより、簡単に取り付けることができる。
【図面の簡単な説明】
【００１０】
【図１】  本発明の第１実施例を示す荷崩れ防止具の展開正面図。
【図２】  本発明の第１実施例を示す荷崩れ防止具の締付体付近の平面図。
【図３】  本発明の第１実施例を示す荷崩れ防止具のコーナーガード板の平面図。
【図４】  本発明の第１実施例を示す荷崩れ防止具の取付部の平面図。
【図５】  本発明の一実施例を示す取付方法の取付前の斜視図。
【図６】  本発明の一実施例を示す取付方法の取付斜視図。
【図７】  本発明の第２実施例を示す荷崩れ防止具の正面図。
【図８】  本発明の第２実施例を示す荷崩れ防止具の側面図。
【発明の実施するための形態】
【００１１】  １は、荷崩れ防止具である。
２は、パレットに積んだ荷物の外周４ツ角に、縦方向に立設するコーナーガード板で、中央で折り畳み可能で、取付時平面Ｌ字形に形成してなる。
３は、コーナーガード板２に設けたベルト挿入部で、全体で３２箇所設けてある。
４は、荷物を水平方向に支持する締付ベルトで、スライド軸４ａ１・４ｂ１と締付枠４ａ２・４ｂ２とからなる２個の締付体４ａ・４ｂを設け、一方の締付体４ａに、ベルト本体４ｃの一端を、着脱自在に取り付ける凹凸テープによる取付部４ｄを設けると共に、ベルト本体４ｃの他端に他方の締付体４ｂに、固定可能な帯片４ｅ１の上下表裏に凹凸テープ４ｅ２・４ｅ３を設けた固定部４ｅを設けてある。
なお、固定部４ｅは、締付体４ｂのスライド軸４ｂ１と締付枠４ｂ２間に挿入して固着する。（図２参照）
さらに、取付部４ｄは、締付体４ａのスライド軸４ａ１と締付枠４ａ２間に挿入して固着する。（図２参照）
また、締付体４ａ・４ｂ間に一定の間隔を保持する連結ベルト４ｆを設けてある。（図１〜図４参照）
【００１２】  上記荷崩れ防止具１を使用した取付方法について説明する。
予めセットした荷崩れ防止具１をパレットＰに積んだ荷物Ｎの上方より挿入する。
この時、２人で挿入するのが望ましい。（図示せず）
コーナーガード板２を荷物Ｎの４ツ角Ｋに位置させ、順次固定部４ｅ−−−を引っ張り、締付体４ｂにて締め付けて荷物Ｎを固定する。その後、固定部４ｅの凹凸テープ４ｅ２を１回転させ凹凸テープ４ｅ３に固着させて完了する。
なお、荷崩れ防止具１を取り外す場合は、取付部４ｄを順次外すことにより簡単に荷物Ｎを開放することができる。（図５・図６参照）
【００１３】  次に、第２実施例の荷崩れ防止具について説明する。
荷崩れ防止具２１は、各コーナーガード板２２に、上下を溶着したベルト挿入部２３（本実施例の場合、３２箇所）の裏面に、上下２箇所に凹凸テープ２５ｂ・２５ｂを設けると共に、この凹凸テープ２５ｂ・２５ｂに対応する凹凸テープ２５ａ・２５ａをコーナーガード板２２の表面に設けた着脱自在な着脱具２５を形設している。
この荷崩れ防止具２１の使用例としては、３箇所の空間部ＫＢにベルト本体２４ｃを挿通させて使用するもので、まず、各凹凸テープ２５ｂ・２５ｂ・２５ａ・２５ａを圧着して固定し、例えば、上段の空間部ＫＢにベルト本体２４ｃを挿通させる。
この時、荷物の締める位置に不具合があった場合は、各凹凸テープ２５ｂ・２５ｂ・２５ａ・２５ａを剥し、下方の空間部ＫＢに移動させ、再度各凹凸テープ２５ｂ・２５ｂ・２５ａ・２５ａを圧着させて固定するものである。（図７・図８参照）
【００１４】  上記実施例において、荷崩れ防止具において、材質や大きさ等は、必要に応じて決めればよい。
また、ベルト本体の本数等も必要に応じて設定すればよい。
【符号の説明】
【００１５】１−−−荷崩れ防止具
２−−−コーナーガード板
３−−−ベルト挿入部
４−−−締付ベルト
Ｎ−−−荷物
Ｐ−−−パレット
２５−−着脱具
【図１】
2014051318.tif 000003
【図２】
2014051318.tif 000004
【図３】
2014051318.tif 000005
【図４】
2014051318.tif 000006
【図５】
2014051318.tif 000007
【図６】
2014051318.tif 000008
【図７】
2014051318.tif 000009
【図８】
2014051318.tif 000010